(57)【要約】【課題】雨水の浸透による受桟の腐食や雨漏りを防止し、取り付けが簡単な屋根材固定用棟部取付部材を提供する。【解決手段】屋根下地材６４の上に２個のコの字状下地基材２、２を取り付け、２個の下地基材２の横溝２４、２４に屋根材６５、６５をそれぞれ挿入し、屋根材６５、６５の端部の上から釘７２、７２を打ち込み、それぞれの屋根材６５、６５を下地基材２の突出部２５、２５に固定する。次に山型状のカバー部材３を２個のコの字状下地基材２、２上に被せ、天板３１，３１の上からビス７３、７３を打ち込み、下地基材２，２の上面２１，２１に固定する。カバー部材３の両端には水切り板３３、３３が存在して雨水の浸入を防止している。【選択図】図５
0003219333.tif 000002
【実用新案登録請求の範囲】
【請求項１】
天板を有するカバー部材と該カバー部材を屋根下地材に取付けるための断面コの字状下地
基材とよりなることを特徴とする屋根材固定用棟部取付部材。
【請求項２】
上記カバー部材として山型状の天板を備え、該天板の両端に水切り用の水切り板を設けた
ことを特徴とする請求項１記載の屋根材固定用棟部取付部材。
【請求項３】
上記カバー部材として屋根下地材の傾斜角度と同じ傾斜角度を有する天板と該天板の一端
に水切り用の水切り板を設けると共に、該天板の他端に上方に向かって垂直に延伸された
垂直面を有する雨押さえ板を備えたことを特徴とする請求項１記載の屋根材固定用棟部取
付部材。        
【請求項４】
上記カバー部材として屋根下地材の傾斜角度と同じ傾斜角度を有する天板と該天板の一端
に水切り用の水切り板を設けると共に、該天板の他端に下方に向かって垂直に延伸された
垂直面を有する雨押さえ板を備えたことを特徴とする請求項１記載の屋根材固定用棟部取
付部材。
【請求項５】
上記雨押さえ板の下端に、上記屋根下地材の端面にその上端が固定される係止板の下端に
係止するための断面Ｖ字状の係止部を設けたことを特徴とする請求項４記載の屋根材固定
用棟部取付部材。
【請求項６】
上記コの字状下地基材は、その下面が上面よりも巾が長く構成され、その下面の突出部を
該コの字状下地基材に挿入される屋根材及び該コの字状下地基材を上記屋根下地材に固着
するための釘等を打ち込むための固着部として使用することを特徴とする請求項１ないし
請求項４のいずれか一項に記載の屋根材固定用棟部取付部材。
【請求項７】
上記カバー部材は板金加工によって製造された板金製品よりなることを特徴とする請求項
１ないし請求項５のいずれか一項に記載の屋根材固定用棟部取付部材。
【請求項８】
上記コの字状下地基材は、板金加工によって製造された板金製品又はプラスチック成形品
よりなることを特徴とする請求項１ないし請求項４又は請求項６のいずれか一項に記載の
屋根材固定用棟部取付部材。
【考案の詳細な説明】
【技術分野】
【０００１】
本考案は、化粧スレート板や金属板等の屋根材を屋根下地材に取り付ける際に、屋根材
の端部を固定するための棟部取付部材に関する。
【背景技術】
【０００２】
従来、化粧スレート板や金属板等の屋根材の棟端部固定部材としては、屋根材を葺き上
げたのちに、棟部分に貫板を張りその上に金属製の役物を被せているものが多用されてい
る（例えば、特許第２７４７１８２号公報参照）。
【先行技術文献】
【特許文献】
【０００３】
【特許文献１】特許第２７４７１８２号公報
【考案の概要】
【考案が解決しようとする課題】
【０００４】
上記の特許文献１の特許第２７４７１８２号公報記載の屋根パネル棟部構造では、図１２
に示すように、野地板５上面に受桟７を載せその上に防水シート６、棟包２１を敷設し、
棟包２１の上から釘２２で、受桟７を野地板５に固定している。このように金属製の棟包
２１をその上から釘２２を刺して通常木製の受桟７に固定しているので、釘２２の穴から
染みこんだ雨水によって、木製の受桟は略１０年位で腐食してしまうという問題があった
。
【０００５】
本考案者等は、上記の欠点を改良し、雨水の浸透による受桟の腐食や雨漏りを防止し、取
り付けが簡単な屋根材固定用棟部取付部材を安価に提供することを目的とする。
【課題を解決するための手段】
【０００６】
本考案の屋根材固定用棟部取付部材は、天板を有するカバー部材と該カバー部材を屋根下
地材に取付けるための断面コの字状下地基材とよりなることを特徴とする。
【０００７】
上記カバー部材として切妻屋根の場合は、山型状の天板を備え、該天板の両端に水切り用
の水切り板を設けたものを使用する。
【０００８】
上記カバー部材として差し替え屋根の場合は、屋根下地材の傾斜角度と同じ傾斜角度を有
する天板と該天板の一端に水切り用の水切り板を設けると共に、該天板の他端に上方に向
かって垂直に延伸された垂直面を有する雨押さえ板を備えたものを使用する。          
【０００９】
上記カバー部材として、片流れ屋根の場合は、屋根下地材の傾斜角度と同じ傾斜角度を有
する天板と該天板の一端に水切り用の水切り板を設けると共に、該天板の他端に下方に向
かって垂直に延伸された垂直面を有する雨押さえ板を備えたものを使用する。
そして、上記雨押さえ板の下端に、上記屋根下地材の端面にその上端が固定される係止
板の下端に係止するための断面Ｖ字状の係止部を設ける。
【００１０】
上記コの字状下地基材は、その下面が上面よりも巾が長く構成され、その下面の突出部を
該コの字状下地基材の横溝に挿入されるスレート板及び該コの字状下地基材を上記屋根下
地材に固着するための釘等を打ち込むための固着部として使用する。また、スレート板を
挿入するための横溝の入り口には、上面から下に折り曲げ垂直壁を、た雨水浸入防止板を
設ける。
【００１１】
上記カバー部材は板金加工によって製造された板金製品を使用し、コの字状下地基材は、
板金加工によって製造された板金製品又は、プラスチック成形品を用いることができる。
【考案の効果】
【００１２】
本考案の屋根材固定用棟部取付部材は、天板を有するカバー部材と該カバー部材を屋根下
地材に取付けるための断面コの字状下地基材とより構成されているので、コの字状下地基
材の突出部を屋根下地材に釘で固定した後、コの字状下地基材の横溝にスレート製の屋根
材を挿入して、屋根材の端部を釘でコの字状下地基材の突出部に釘を打ち込んで固定する
。その後で、カバー部材をコの字状下地基材の上に被せて、カバー部材の天板をコの字状
下地基材の上面にビスで固定する。コの字状下地基材及び屋根材を固定した釘孔は、カバ
ー部材で覆われるので、この釘孔から雨水が浸入することはない。また、カバー部材を固
定したビス孔はコの字状下地基材の上面に開けられるので、万一このビス孔から雨水が浸
入しても、屋根材の上に落下するので、屋根材の傾斜に従って屋根材の上を流れて外部に
放出される。従って、下地基材、屋根材、カバー部材を固定するための釘やビス孔から雨
水が侵入することを防止するとともに、耐久性の高い棟部取付部材を提供することができ
る。
【００１３】
本考案の屋根材固定用棟部取付部材のカバー部材はその天板の上方からコの字状下地基材
にワンタッチで容易に取り付けることができる。
【００１４】
本考案の屋根材固定用棟部取付部材のコの字状下地基材は、切妻屋根用のカバー部材、差
し替え屋根用のカバー部材及び  片流れ屋根用のカバー部材の何れにも共通して使用でき
るので、経済的である。
【００１５】
さらに、上記カバー部材の先端には屋根材の表面に密接する水切り板が設けられているの
で、屋根材の隙間から雨水が侵入することを防止することができる。
【図面の簡単な説明】
【００１６】
【図１】本考案の一実施例における屋根材固定用棟部取付部材のコの字状下地基材の斜面図。
【図２】図１のコの字状下地基材の正面図である。
【図３】本考案の一実施例における屋根材固定用棟部取付部材のカバー部材の斜面図。
【図４】図３のカバー部材の正面図。
【図５】本考案の屋根材固定用棟部取付部材を切妻屋根の棟部に取り付けた状態を示す説明断面図。
【図６】本考案の他の実施例における屋根材固定用棟部取付部材のカバー部材の斜面図。
【図７】図６のカバー部材の正面図。
【図８】本考案の他の実施例の屋根材固定用棟部取付部材を差し替え屋根の棟部に取り付けた状態を示す説明断面図。
【図９】本考案の他の実施例における屋根材固定用棟部取付部材のカバー部材の斜面図。
【図１０】図９のカバー部材の正面図。
【図１１】本考案の他の実施例の屋根材固定用棟部取付部材を片流れ屋根の棟部に取り付けた状態を示す説明断面図。
【図１２】従来の隅棟部構造の組み立て完了状態を示す縦断面図。
【考案を実施するための最良の形態】
【００１７】
本考案を実施するための最良の形態を実施例によって説明する。
【実施例１】
【００１８】
図１は本考案の一実施例を示す屋根材固定用棟部取付部材のコの字状下地基材２の斜面図
、図２はその正面図であって、金属製の板金を加工してコの字状に形成されている。しか
し、下面２２は上面２１よりも巾が長く、突出部２５が存在する。上面２１の端部は下に
屈曲されて庇部２３を形成する。この庇部２３は薄い金属板でこの基材２を形成した場合
の補強用の折り返し部であるので、厚い金属板等強度の高い材料で製造する場合は省略し
ても良い。横溝２４にはスレート製の屋根材が挿入されて固定される。なお、コの字状下
地基材２はプラスチックの成形品として形成される場合もある。
【００１９】
図３は本考案の一実施例を示す切妻屋根の棟に使用されるカバー部材３の斜面図、図４は
その正面図であって、カバー部材３は、弾性金属板を加工して形成されており、切妻屋根
の勾配と同じ勾配を持つ山型状の天板３１、３１とその両端を下方に屈曲して垂直壁３２
、３２を形成し、更に垂直壁３２、３２下端を外方に屈曲して水切り板３３、３３を形成
する。水切り板３３の端部は怪我などを防止するためにあざ折にして丸めてある。
【００２０】
図５は本考案の屋根材固定用棟部取付部材を切妻屋根の棟部に取り付けた状態を示す説明
断面図であって、棟木６１、桁６２，６２、垂木６３、６３上に張り付けられた木製の屋
根下地材６４，６４に２個のコの字状下地基材２、２の突出部２５、２５を釘７１、７１
で固定する。左右の下地基材２、２の横溝２４、２４にスレート製の屋根材６５、６５を
挿入し、その端部を釘７２、７２で下地基材２、２の突出部２５、２５に打ち込み固定す
る。
次に山型状カバー部材３をコの字状下地基材２、２に被せ、天板３１、３１の上からビス
７３、７３をねじ込んで、下地基材２、２の上面２１、２１に固定する。山型状カバー部
材３の両端の水切り板３３、３３は屋根材６５、６５の上面に密接して、雨水の浸入を防
止する。
【実施例２】
【００２１】
図６は、本考案の他の実施例を示す差し込み屋根用の棟に使用されるカバー部材４の斜面
図、図７はその正面図であって、カバー部材４は、弾性金属板を加工して形成されており
、差し込み屋根の勾配と同じ勾配を持つ天板４１とその一端を下方に屈曲して垂直壁４２
を形成し、更にその垂直壁４２を外方に屈曲して形成した水切り板４３及び天板４１の他
端を上方に屈曲しを形成した雨押さえ板４４より構成されている。水切り板４３の端部及
び雨押さえ板４４の端部は怪我などを防止するためにあざ折にして丸めてある。
【００２２】
図８は本考案の屋根材固定用棟部取付部材を差し込み屋根の棟部に取り付けた状態を示す
説明断面図であって、棟木６１、垂木６３上に張り付けられた木製の屋根下地材６４にコ
の字状下地基材２の突出部２５を釘７１をで固定する。下地基材２の横溝２４にスレート
製の屋根材６５を挿入し、その端部を釘７２で下地基材２の突出部２５に打ち込み固定す
る。
次にＬ字状をしたカバー部材４をコの字状下地基材２に被せ、天板４１の上からビス７３
をねじ込んで、下地基材２の上面２１に固定する。カバー部材４の端部の水切り板４３は
屋根材６５の上面に密接して、雨水の浸入を防止する。又、雨押さえ板４４は弾性で垂直
の壁面６６に密接して雨水の浸入を防止する。
【実施例３】
【００２３】
図９は、本考案の他の実施例を示す片流れ屋根用の棟に使用されるカバー部材５の斜面図
、図１０はその正面図であって、逆Ｌ字状のカバー部材５は、弾性金属板を加工して形成
されており、片流れ屋根の勾配と同じ勾配を持つ天板５１とその一端を下方に屈曲して垂
直壁５２形成しを更に垂直壁５２を外方に屈曲して形成した水切り板５３及び天板５１の
他端を下方に屈曲しを形成した雨押さえ板５４より構成されている。水切り板５３の端部
は怪我などを防止するためにあざ折にして丸めてある。
雨押さえ板５４の下端は内側にＶ字状に屈曲されて係止部５５が形成されている。この係
止部を屋根下地材６４に固定するために、Ｌ字状の係止板５６が備えられている。この係
止板５６はその上端のＬ字状屈曲部５７を釘によって屋根下地材６４に固定し、その下端
５８に雨押さえ板５４のＶ字状係止部５５を引っかけて固定する。係止板５６の下端５８
もあざ折にして丸めてある。
【００２４】
図１１は本考案の屋根材固定用棟部取付部材を片流れ屋根の棟部に取り付けた状態を示す
説明断面図であって、棟木６１上に張り付けられた木製の屋根下地材６４にコの字状下地
基材２の下面２２の突出部２５を釘７１をで固定する。下地基材２の横溝２４にスレート
製の屋根材６５を挿入し、その端部を釘７２で下地基材２の突出部２５に打ち込み固定す
る。
次に逆Ｌ字状をしたカバー部材５をコの字状下地基材２に被せ、天板５１の上からビス７
３をねじ込んで、下地基材２の上面２１に固定する。カバー部材５の端部の水切り板５３
は屋根材６５の上面に密接して、雨水の浸入を防止する。又、雨押さえ板５４の下端のＶ
字状係止部５５を、上端のＬ字状屈曲部５７を釘７４で屋根下地材７４に固定された係止
板５６の下端５８に引っかけて固定する。
【符号の説明】
【００２５】
１  屋根材固定用棟部取付部材
２  コの字状下地基材
３  切妻屋根用カバー部材      
４  差し込屋根用カバー部材
５  片流れ屋根用カバー部材
５７  Ｌ字状屈曲部
６１  棟木
６４  屋根下地材
６５  屋根材
【図１】
0003219333.tif 000003
【図２】
0003219333.tif 000004
【図３】
0003219333.tif 000005
【図４】
0003219333.tif 000006
【図５】
0003219333.tif 000007
【図６】
0003219333.tif 000008
【図７】
0003219333.tif 000009
【図８】
0003219333.tif 000010
【図９】
0003219333.tif 000011
【図１０】
0003219333.tif 000012
【図１１】
0003219333.tif 000013
【図１２】
0003219333.tif 000014